(57)【要約】【課題】情報の属性に係らずいつも良好な画像で、且つ即座に閲覧することができる利便性に優れた情報表示システムを提供する。【解決手段】情報提供装置と情報表示端末装置と少なくとも１つの表示装置と、を備えた情報表示システムにおいて、情報表示端末装置と表示装置は、互いに特性の異なる表示部をそれぞれ有し、情報提供装置は、情報表示端末装置より受信したキーワードに対応する参照情報を検索し、検索した参照情報の属性に基づいて、該参照情報を情報表示端末装置または表示装置のいずれに送信するかを選択し送信するとともに、選択した送信先を示す情報を情報表示端末装置に送信する。情報表示端末装置または表示装置の表示部は、情報提供装置より受信した参照情報に基づいてその内容を表示し、さらに情報表示端末装置の表示部は、情報提供装置より受信した送信先を示す情報に基づいてその内容を表示する。【選択図】図３
2009064299.tif 000002
【特許請求の範囲】
【請求項１】
情報提供装置と情報表示端末装置と少なくとも１つの表示装置と、を備えた情報表示システムにおいて、
前記情報表示端末装置と前記表示装置は、互いに特性の異なる表示部をそれぞれ有し、
前記情報提供装置は、
前記情報表示端末装置より受信したキーワードに対応する参照情報を検索する参照情報検索部と、
検索した前記参照情報の属性に基づいて、該参照情報を前記情報表示端末装置または前記表示装置のいずれに送信するかを選択し送信するとともに、選択した送信先を示す情報を前記情報表示端末装置に送信する表示先選択部と、を有し、
前記情報表示端末装置または前記表示装置の前記表示部は、前記情報提供装置より受信した前記参照情報に基づいてその内容を表示し、
前記情報表示端末装置の前記表示部は、前記情報提供装置より受信した前記送信先を示す情報に基づいてその内容を表示することを特徴とする情報表示システム。
【請求項２】
前記情報表示端末装置の前記表示部は、表示内容を無電源で保持可能な媒体を有し、
前記表示先選択部は、前記参照情報の属性が静止画像である場合、該参照情報を前記情報表示端末装置に送信することを特徴とする請求項１に記載の情報表示システム。
【請求項３】
前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする請求項２に記載の情報表示システム。
【請求項４】
前記情報提供装置は、前記参照情報検索部で行われる前記参照情報の検索進度および前記表示先選択部で行われる前記参照情報の送信進度、またはそのいずれかを監視し、監視した前記検索進度を示す情報および前記送信進度を示す情報、またはそのいずれかを前記情報表示端末装置に送信する進度監視部を有し、
前記情報表示端末装置は、前記情報提供装置より受信した前記検索進度を示す情報および前記送信進度を示す情報、またはそのいずれかに基づいてその内容を表示する進度表示部を有することを特徴とする請求項１乃至３のいずれか１項に記載の情報表示システム。
【発明の詳細な説明】
【技術分野】
【０００１】
本発明は、情報表示システムに関し、特に複数の表示装置を備えた情報表示システムに関する。
【背景技術】
【０００２】
従来、インターネットの普及に伴い、例えば小型の表示部を備えたＰＤＡ（Ｐｅｒｓｏｎａｌ  Ｄｉｇｉｔａｌ  Ａｓｓｉｓｔａｎｔｓ）のような情報表示端末装置からの要求に応じて、情報配信サーバ等に代表される情報提供装置が情報を検索し、提供する情報表示システムが知られている。一方、このような情報は、近年多様化の一途を辿り、情報の属性によっては情報表示端末装置が有する表示部では、その表示サイズ、応答性能等の制約から適切に表示することが困難な場合ある。
【０００３】
そこで、このような問題に対応する為、特性の異なる複数の表示装置を備え、情報の属性に応じて、適切な表示装置を選択し、該情報を表示させる方法が種々検討されている。
【０００４】
例えば、複数の表示装置を備え、該表示装置のうちの少なくとも１つをメモリ性を有する書き換え可能な表示素子を用いて構成した情報表示システムが提案されている（特許文献１参照）。該情報表示システムは、情報が静止画や書き換えの少ない情報の場合、メモリ性を有する表示装置に表示させ、一方、情報が動画や書き換えの多い情報の場合は、ＴＦＴ液晶やＣＲＴからなる表示装置に表示させるようにしている。これにより、属性の異なる種々の情報を閲覧することを可能にし、作業効率の向上を図るものである。
【特許文献１】特開２０００−２８４２５３号公報
【発明の開示】
【発明が解決しようとする課題】
【０００５】
このように、属性の異なる種々の情報を、その属性に応じて、適切な表示装置に表示させるようにした情報表示システムが検討されている。
【０００６】
しかしながら、特許文献１に記載されているような構成の情報表示システムにおいては、情報提供装置で検索された情報が、何れの表示装置に表示されるかを即座に知ることができず、利便性を損なうといった問題がある。
【０００７】
本発明は、上記課題を鑑みてなされたもので、情報の属性に係らずいつも良好な画像で、且つ即座に閲覧することができる利便性に優れた情報表示システムを提供することを目的とする。
【課題を解決するための手段】
【０００８】
上記目的は、下記の１乃至４のいずれか１項に記載の発明によって達成される。
【０００９】
１．情報提供装置と情報表示端末装置と少なくとも１つの表示装置と、を備えた情報表示システムにおいて、
前記情報表示端末装置と前記表示装置は、互いに特性の異なる表示部をそれぞれ有し、
前記情報提供装置は、
前記情報表示端末装置より受信したキーワードに対応する参照情報を検索する参照情報検索部と、
検索した前記参照情報の属性に基づいて、該参照情報を前記情報表示端末装置または前記表示装置のいずれに送信するかを選択し送信するとともに、選択した送信先を示す情報を前記情報表示端末装置に送信する表示先選択部と、を有し、
前記情報表示端末装置または前記表示装置の前記表示部は、前記情報提供装置より受信した前記参照情報に基づいてその内容を表示し、
前記情報表示端末装置の前記表示部は、前記情報提供装置より受信した前記送信先を示す情報に基づいてその内容を表示することを特徴とする情報表示システム。
【００１０】
２．前記情報表示端末装置の前記表示部は、表示内容を無電源で保持可能な媒体を有し、
前記表示先選択部は、前記参照情報の属性が静止画像である場合、該参照情報を前記情報表示端末装置に送信することを特徴とする前記１に記載の情報表示システム。
【００１１】
３．前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする前記２に記載の情報表示システム。
【００１２】
４．前記情報提供装置は、前記参照情報検索部で行われる前記参照情報の検索進度および前記表示先選択部で行われる前記参照情報の送信進度、またはそのいずれかを監視し、監視した前記検索進度を示す情報および前記送信進度を示す情報、またはそのいずれかを前記情報表示端末装置に送信する進度監視部を有し、
前記情報表示端末装置は、前記情報提供装置より受信した前記検索進度を示す情報および前記送信進度を示す情報、またはそのいずれかに基づいてその内容を表示する進度表示部を有することを特徴とする前記１乃至３のいずれか１項に記載の情報表示システム。
【発明の効果】
【００１３】
本発明によれば、情報提供装置は、情報表示端末装置の要求により検索した参照情報を、その属性に基づいて、情報表示端末装置または表示装置のいずれに送信するかを選択し送信するとともに、選択した送信先を示す情報を情報表示端末装置に送信する。そして、情報表示端末装置または表示装置の表示部は、情報提供装置より受信した参照情報に基づいてその内容を表示し、さらに、情報表示端末装置の前記表示部は、情報提供装置より受信した送信先を示す情報に基づいてその内容を表示する構成とした。
【００１４】
すなわち、検索した参照情報を、その属性に応じて適切な表示を行うことが可能な表示部を有する情報表示端末装置または表示装置に表示させ、さらに、参照情報がいずれの装置に表示されるかを情報表示端末装置に表示させるようにした。
【００１５】
これにより、情報の属性に係らずいつも良好な画像を閲覧でき、しかも情報表示端末装置で参照情報の表示先を知ることができるので迷うことなく即座に参照情報を閲覧することができる。その結果、作業効率、利便性を高めることができる。
【発明を実施するための最良の形態】
【００１６】
以下図面に基づいて、本発明に係る情報表示システムの実施の形態を説明する。尚、本発明を図示の実施の形態に基づいて説明するが、本発明は該実施の形態に限られない。
【００１７】
最初に、情報表示システムの構成を図１を用いて説明する。図１は、本発明の実施形態に係る情報表示システム１の概略構成を示す外観模式図である。
【００１８】
情報表示システム１は、図１に示すように、キーボード２０１、モニタ２０２、コンピュータ本体２０３等を有する情報提供装置２、表示部３０１、タッチペン３５１等を有する情報表示端末装置３、及び表示部５０１、６０１、７０１をそれぞれ有する表示装置５、６、７等から構成される。情報表示端末装置３の表示部３０１と表示装置５（６、７）の表示部５０１（６０１、７０１）は、その特性が異なるものである。表示部３０１は、表示内容を無電源で保持する機能（メモリ性）を有した所謂電子ペーパと称される表示媒体から構成され、表示部５０１（６０１、７０１）は、例えばＴＦＴ液晶、ＥＬ（Ｅｌｅｃｔｒｏ  Ｌｕｍｉｎｅｓｃｅｎｃｅ）、ＣＲＴ等のメモリ性を有しておらず、高速に画面更新が可能な表示媒体から構成される。また、各装置は、通常、無線ＬＡＮと称される通信手段を介して、各種情報の送受信を行う。
【００１９】
尚、本実施形態においては、表示装置を３台設けたが、これに限定されることなく、例えば、１台、２台であってもよいし、また、３台以上でもよい。
【００２０】
情報提供装置２は、情報表示端末装置３より受信したキーワードに対応する参照情報を検索し、検索した参照情報を、その属性に基づいて、情報表示端末装置３または表示装置５（６、７）のいずれに送信するかを選択し送信するとともに、選択した送信先を示す情報を情報表示端末装置３に送信する。そして、情報表示端末装置３または表示装置５（６、７）は、情報提供装置２より受信した参照情報に基づいてその内容を表示し、さらに、情報表示端末装置３は、情報提供装置２より受信した送信先を示す情報に基づいてその内容を表示する。
【００２１】
情報表示端末装置３の外観を図２に示す。図２は、情報表示端末装置３の正面図である。
【００２２】
情報表示端末装置３の正面には、図２に示すように、メモリ性を有する所謂電子ペーパと称される表示媒体から構成される表示部３０１、通信部３１４、電源スイッチ３１８、各種操作・設定を行う十字キー３１９、情報提供装置２から受信した参照情報の送信先を示す情報に基づいてその内容を表示する表示先表示部３３１、情報提供装置２から受信した参照情報の検索進度、送信進度を示す情報に基づいてその内容を表示する進度表示部３３２、及びキーワードＫの選択や手書き入力等を行うタッチペン３５１等が設けられている。
【００２３】
図３に情報表示システム１の要部機能構成を示す。情報提供装置２は、通信部２０４、参照情報検索部２１１、参照情報加工部２１２、進度監視部２１３、及び表示先選択部２１４等から構成される。情報表示端末装置３は、通信部３１４、キーワード入力部３０４、保存部３１３、表示部３０１、表示先表示部３３１、及び進度表示部３３２等から構成される。表示装置５（６、７）は、通信部５１４（６１４、７１４）、及び表示部５０１（６０１、７０１）等から構成される。
【００２４】
情報提供装置２の参照情報検索部２１１は、情報表示端末装置３から通信部２０４を介して受信したキーワードに基づいて、該キーワードに対応する参照情報を図示しない、内部の記憶部、または外部の情報検索サーバより取得する。
【００２５】
参照情報加工部２１２は、参照情報検索部２１１で取得された参照情報より必要な情報のみを取出し、情報検索端末装置３の表示部３０１または表示装置５（６、７）の表示部５０１（６０１、７０１）の表示サイズに合わせて加工する。詳しくは、情報提供装置２が外部の情報検索サーバより取得する情報は、Ｗｅｂ情報であり、必要とする参照情報の他にバナー広告、関連のないＷｅｂへのリンク情報等が付加されている。そこで参照情報加工部２１２は、このような不要な情報を削除し、情報検索端末装置３の表示部３０１または表示装置５（６、７）の表示部５０１（６０１、７０１）の表示サイズに適した形態に参照情報を加工する。
【００２６】
進度監視部２１３は、参照情報検索部２１１で行われる参照情報の検索進度や後述の表示先選択部２１４で行われる参照情報の送信進度を監視し、監視した検索進度を示す情報や送信進度を示す情報を情報表示端末装置３に送信する。
【００２７】
表示先選択部２１４は、参照情報検索部２１１で検索された参照情報を、その属性に基づいて、情報表示端末装置３または表示装置５（６、７）のいずれに送信するかを選択し送信するとともに、選択した送信先を示す情報を情報表示端末装置３に送信する。具体的には、検索された参照情報の属性が静止画や書き換えの少ない場合、該参照情報をメモリ性を有する表示部３０１を備えた情報表示端末装置３に送信し表示させる。一方、参照情報の属性が動画や書き換えの多い場合は、該参照情報をＴＦＴ液晶、ＥＬ（Ｅｌｅｃｔｒｏ  Ｌｕｍｉｎｅｓｃｅｎｃｅ）、ＣＲＴ等のメモリ性を有しておらず、高速に画面更新が可能な表示部５０１（６０１、７０１）を備えた表示装置５（６、７）に送信し表示させる。
【００２８】
情報表示端末装置３のキーワード入力部３０４は、所望のキーワードを選択し、選択したキーワードを通信部３１４を介して情報提供装置２に送信する。
【００２９】
保存部３１３は、情報提供装置２から通信部３１４を介して受信した各種情報を保存する。
【００３０】
表示部３０１は、情報提供装置２から通信部３１４を介して受信した参照情報に基づいてその内容を表示する。
【００３１】
表示先表示部３３１は、情報提供装置２から通信部３１４を介して受信した参照情報の送信先を示す情報に基づいてその内容を表示する。
【００３２】
進度表示部３３２は、情報提供装置２から通信部３１４を介して受信した参照情報の検索進度、送信進度を示す情報に基づいてその内容を表示する。
【００３３】
表示装置５（６、７）の表示部５０１（６０１、７０１）は、情報提供装置２から通信部５１４（６１４、７１４）を介して受信した参照情報に基づいてその内容を表示する。
【００３４】
ここで、表示部３０１、表示先表示部３３１、および表示部５０１（６０１、７０１）は、本発明における表示部に該当するものである。
【００３５】
尚、情報表示システム１で行われる参照情報の表示動作の詳細は後述する。
【００３６】
図４に情報表示端末装置３の電気回路ブロック構成図を示す。
【００３７】
図４に示す様に、情報表示端末装置３は、表示部３０１、表示制御部３０２、ＶＲＡＭ３０３、タッチパネル３０４、タッチパネル監視部３０５、ＣＰＵ３１１、ＦｌａｓｈＲＯＭ３１２、ＳＤＲＡＭ３１３、通信部３１４、外部Ｉ／Ｆ３１５、操作部３１７、電池３２１、及び表示先表示部３３１、進度表示部３２２等を有する。
【００３８】
表示部３０１は、例えば、特開平１０−３２４１５５号公報に記載されている強誘電性液晶から構成される表示装置の様に、表示内容を無電源で保持する機能（メモリ性）を有した所謂電子ペーパと称される表示媒体であり、文書データや参照情報等に基づいてその内容を表示する。
【００３９】
電子ペーパは、情報を電気的に書換えることができ、情報の書換え時のみ電力を消費する一方、書換えが終了した後には電力を消費することなく情報を表示させておくことが可能であり、消費電力を抑制することができる。
【００４０】
この様なメモリ性を有する表示媒体としては、前述の強誘電性液晶表示素子の他、例えば、反強誘電性液晶素子、強誘電性高分子液晶表示素子、室温でコレステリック液晶相を示すカイラルネマチック液晶等を用いたコレステリック液晶表示素子、エレクトロクロミック表示素子、電気泳動セルを用いた表示素子、乾式粉体を基板内に封入し電界で移動させて表示を行う粒子移動型表示素子、銀の析出と溶解により表示を行う表示素子、ツイストボールを用いた表示素子等を利用して構成することも可能である。
【００４１】
表示制御部３０２は、表示部３０１で行われる表示動作を制御する。
【００４２】
ＶＲＡＭ（Ｖｉｄｅｏ  ＲＡＭ）３０３は、表示部３０１の画素数に対応した画像データの記録容量を有し、表示部３０１に再生表示される画像を構成する画像データのバッファメモリである。
【００４３】
タッチパネル３０４は、図３に示すキーワード入力部３０４に該当し、表示部３０１の前面に設けられたタッチパネルセンサである。
【００４４】
タッチパネル監視部３０５は、情報表示端末装置３が電力を殆ど消費しないスリープ状態においてもタッチパネル３０４からの入力の有無を監視することができる。
【００４５】
ＣＰＵ（中央演算処理装置）３１１は、タッチパネル３０４や操作部３１７からの信号を受けて、表示動作や画像信号処理、及び情報提供装置２との間で行われる情報の送受信動作を統括的に制御する。
【００４６】
ＦｌａｓｈＲＯＭ（Ｆｌａｓｈ＿Ｒｅａｄ  Ｏｎｌｙ  Ｍｅｍｏｒｙ）３１２は、ＣＰＵ３１１で実行される各種制御プログラム等を記憶する。
【００４７】
ＳＤＲＡＭ（Ｓｙｎｃｈｒｏｎｏｕｓ＿Ｄｙｎａｍｉｃ  Ｒａｎｄｏｍ  Ａｃｃｅｓｓ  Ｍｅｍｏｒｙ）３１３は、演算処理や制御処理等の作業データを一時的に格納する。また、ＳＤＲＡＭ３１３は、図３に示す保存部３１３に該当し、情報提供装置２から通信部３１４を介して受信した各種情報を保存する。
【００４８】
通信部３１４は、情報提供装置２との間でキーワードや参照情報等の情報を無線で送受信する。通信部３１４の無線通信手段としては、ＢｌｕｅｔｏｏｔｈやワイヤレスＵＳＢ、また、赤外線等を用いた低消費電力型のデバイスが好適である。
【００４９】
外部Ｉ／Ｆ３１５は、例えば、ＳＤメモリカード等の外部メモリとのインターフェースである。
【００５０】
操作部３１７は、電源スイッチ３１８や各種操作・設定を行う十字キー３１９等を備えたスイッチ群である。
【００５１】
電池３２１は、情報検索端末装置３の駆動用電源である。
【００５２】
表示先表示部３３１は、ＬＣＤから構成され、情報提供装置２から通信部３１４を介して受信した参照情報の送信先を示す情報に基づいてその内容を表示する。尚、表示先表示部３３１を設けず、その機能を表示部３０１に持たせるようにしてもよい。
【００５３】
進度表示部３３２は、ＬＥＤから構成され、情報提供装置２から通信部３１４を介して受信した参照情報の検索進度、送信進度を示す情報に基づいてその内容を表示する。
【００５４】
尚、図４中、破線で示す矢印は、ＣＰＵ３１１がスリープ状態の時に、タッチパネル３０４によりタッチパネル監視部、または操作部３１７を介して起こされる制御経路を示す。
【００５５】
図５に情報検索端末装置３に表示される情報の表示例を示す。図５は、情報提供装置２で検索された参照情報が表示装置５乃至７のいずれかに表示される場合の表示例を示す模式図である。尚、図５中、Ｎｏ．１〜Ｎｏ．３の記号は、それぞれ表示装置５〜７に該当する。
【００５６】
情報提供装置２で検索された参照情報が例えば表示装置７に表示される場合、図５に示すように、表示先表示部３３１には、「表示  Ｎｏ．３」と表示され、参照情報がＮｏ．３の表示装置７に表示されることを視認することができる。また、進度表示部３３２には、情報提供装置２で進行中の参照情報の検索進度や参照情報の表示装置７への送信進度がＬＥＤのバー表示により表示され、それぞれの進行状況を視認することができる。
【００５７】
また、保存部３０１に過去に検索したキーワードとそのキーワードに係る参照情報の表示先を示す履歴情報を保存しておき、操作部３１７を操作することにより、図５の表示部３０１に示すように、履歴情報を表示させるようにしてもよい。これにより、使用者は、過去に参照したキーワードの情報を容易に知ることができる。図５において、例えば、キーワードである「コレステリック」は、過去に検索された実績が有り、その参照情報がＮｏ．２の表示装置６に表示されたことを示す。
【００５８】
ここで、この様な構成の情報表示システム１で行われる参照情報の表示動作の流れを図６を用いて説明する。図６は、参照情報の表示動作の流れを示すフローチャートである。尚、図６中、記号Ｈ、Ｔ、Ｄは、それぞれ情報提供装置２、情報表示端末装置３、表示装置５（６、７）を示す。
【００５９】
最初に、情報表示端末装置３の表示部３０１に表示されている情報を閲覧中に、情報を参照したいキーワードがあった場合、タッチパネル３０４等を用いて該キーワードを選択して入力する（ステップＳ１）。
【００６０】
キーワードが入力されると情報表示端末装置３は、該キーワードを通信部３１４を介して情報提供装置２に送信する（ステップＳ２）。
【００６１】
情報提供装置２の参照情報検索部２１１は、情報検索端末装置３から送信されたキーワードを通信部２０４を介して受信すると、受信したキーワードに基づいて、該キーワードに対応する参照情報を、例えば外部の情報検索サーバより取得する（ステップＳ３）。そして、表示先選択部３１４は、参照情報検索部２１１で取得された参照情報の属性に基づいて該参照情報の送信先を選択する。参照情報の属性が静止画である場合（ステップＳ４；Ｙｅｓ）、送信先を情報表示端末装置３に設定し、参照情報を通信部２０４を介して情報表示端末装置３に送信する（ステップＳ５）。
【００６２】
情報表示端末装置３は、情報提供装置２から送信された参照情報を通信部３１４を介して受信すると、受信した参照情報に基づいてその内容を表示部３０１に表示させる（ステップＳ６）。このとき表示部３０１に表示される参照情報の表示例を図７に示す。図７は、選択されたキーワードＫに対応する参照情報Ｍの表示例を示す模式図である。図７に示す文書画像中、例えば、「コレステリック液晶」がキーワードＫとして入力されると、キーワードＫ（「コレステリック液晶」）に対応する参照情報Ｍである「螺旋構造を有する液晶材料である。」がキーワードＫ（「コレステリック液晶」）の近傍に表示される。また、選択されたキーワードＫ（「コレステリック液晶」）は、例えば、白黒反転させて表示される。
【００６３】
図６に戻って、一方、ステップＳ４において、表示先選択部３１４は、参照情報の属性が動画である場合（ステップＳ４；Ｎｏ）、送信先を表示装置５乃至７のいずれかに設定し（ステップＳ７）、参照情報を通信部２０４を介して表示装置５乃至７のいずれかに送信する（ステップＳ８）。
【００６４】
表示装置５乃至７のいずれかは、情報提供装置２から送信された参照情報を通信部５１４（６１４、７１４）を介して受信すると、受信した参照情報に基づいてその内容を表示部５０１（６０１、７０１）に表示させる（ステップＳ９）。
【００６５】
また、ステップＳ７において、表示先選択部３１４は、参照情報の送信先を表示装置５乃至７のいずれかに設定すると、設定した送信先を示す情報を情報表示端末装置３に送信する（ステップＳ１０）。また、進度監視部２１３は、表示先選択部２１４で行われる参照情報の送信進度を監視し、監視した送信進度を示す情報を情報表示端末装置３に送信する（ステップＳ１０）。
【００６６】
情報表示端末装置３は、情報提供装置２から送信された参照情報の送信先を示す情報、送信進度を示す情報を通信部３１４を介して受信すると、受信した送信先を示す情報、送信進度を示す情報に基づいてそれぞれの内容を表示先表示部３３１、進度表示部３３２に表示させる（ステップＳ１１）。そして、保存部３１３は、検索されたキーワードとそのキーワードに係る参照情報の表示先を示す履歴情報を保存する（ステップＳ１２）。
【００６７】
このように本発明の実施形態に係る情報表示システム１においては、検索された参照情報の属性が静止画や書き換えの少ない場合、該参照情報を解像度が高く消費電力の少ないメモリ性を有する表示部３０１を備えた情報表示端末装置３に送信し表示させる。一方、参照情報の属性が動画や書き換えの多い場合は、該参照情報をＴＦＴ液晶、ＥＬ（Ｅｌｅｃｔｒｏ  Ｌｕｍｉｎｅｓｃｅｎｃｅ）、ＣＲＴ等のメモリ性を有しておらず、高速に画面更新が可能な表示部５０１（６０１、７０１）を備えた表示装置５（６、７）に送信し表示させるようにした。すなわち、属性の異なる種々の参照情報がその属性に応じた適切な表示装置で再現されるので、参照情報の属性に係らずいつも良好な画像を閲覧することができる。さらに、検索された参照情報がいずれの装置に表示されるかを情報表示端末装置２に表示させるようにしたので、迷うことなく即座に参照情報を閲覧することができる。これらの結果、作業効率、利便性を高めることができる。
【００６８】
また、情報提供装置２で行われる参照情報の検索進度や送信進度を情報表示端末装置３に表示させるようにしたので、情報表示システム１を構成するすべての表示装置の動作状況を掴むことができ、作業性を高めることができる。
【００６９】
また、情報表示端末装置３の表示部３０１に表示内容を無電源で保持する機能（メモリ性）を有する電子ペーパを用いるようにしたので、電池の消耗を抑制することができ、長時間の使用が可能となる。
【図面の簡単な説明】
【００７０】
【図１】本発明の実施形態に係る情報表示システムの概略構成図である。
【図２】情報表示端末装置の正面図である。
【図３】情報表示システムの要部機能構成図である。
【図４】情報表示端末装置の電気回路ブロック構成図である。
【図５】情報表示端末装置の表示例を示す模式図である。
【図６】参照情報表示動作の流れを示すフローチャートである。
【図７】情報表示端末装置における参照情報の表示例を示す模式図である。
【符号の説明】
【００７１】
１  情報表示システム
２  情報提供装置（コンピュータ）
２０１  キーボード
２０２  モニタ
２０３  コンピュータ本体
２０４  通信部
２１１  参照情報検索部
２１２  参照情報加工部
２１３  進度監視部
２１４  表示先選択部
３  情報表示端末装置
３０１  表示部
３０２  表示制御部
３０３  ＶＲＡＭ
３０４  キーワード入力部（タッチパネル）
３０５  タッチパネル監視部
３１１  参照情報検索部（ＣＰＵ）
３１２  ＦｌａｓｈＲＯＭ
３１３  保存部（ＳＤＲＡＭ）
３１４  通信部（ワイヤレスＵＳＢ、Ｂｌｕｅｔｏｏｔｈ）
３１５  外部Ｉ／Ｆ
３１７  操作部
３１８  電源スイッチ
３１９  十字キー
３２１  電池
３３１  表示先表示部
３３２  進度表示部
３５１  タッチペン
５、６、７  表示装置
５０１、６０１、７０１  表示部
５１４、６１４、７１４  通信部
ＩＮ  インターネット
【図１】
2009064299.tif 000003
【図２】
2009064299.tif 000004
【図３】
2009064299.tif 000005
【図４】
2009064299.tif 000006
【図５】
2009064299.tif 000007
【図６】
2009064299.tif 000008
【図７】
2009064299.tif 000009